(57)【要約】      （修正有）【課題】体幹装具に取り付けるバックルに仮止め機能をもたせ、体幹装具の装着者が脇ベルトを体前方向に引き出す力のみで十分な緊縛具合を保持したまま簡単に脇ベルトの面ファスナーによる本固定を完了させることが可能となるバックルを提供する。【解決手段】対向する２つの側板１１の一端に体幹装具本体取付用ねじ穴１５が穿設された固定板１２を設け、他端に折返し軸１３を設け、折返し軸には２本の係合突起１４が形成され、側板は中央部分から折返し軸方向の端部までが内方に湾曲している。２本の係合突起はねじ穴方向に向かって傾斜していることが好ましい。【選択図】図２
0003209314.tif 000002
【実用新案登録請求の範囲】
【請求項１】
対向する２つの側板（１１，１１）の一端に体幹装具本体取付用ねじ穴（１５）が穿設された固定板（１２）を設け、他端に折返し軸（１３）を設け、該折返し軸には２本の係合突起（１４，１４）が形成され、前記側板（１１，１１）は中央部分から前記折返し軸（１３）方向の端部までが内方に湾曲していることを特徴とする体幹装具用バックル。
【請求項２】
前記２本の係合突起（１４，１４）は前記ねじ穴（１５）方向に向かって傾斜していることを特徴とする請求項１記載の体幹装具用バックル。
【考案の詳細な説明】
【技術分野】
【０００１】
本考案は、ジュエット型体幹装具に用いる脇ベルト用のバックルに関する。
【背景技術】
【０００２】
高齢者や女性に多く見られる腰椎圧迫骨折の受傷者に処方される体幹装具は、脊柱の固定や変形予防、矯正を目的としたものである。
一般的に、このジュエット型体幹装具本体は金属アームで形成され、前方の胸骨パッド、恥骨パッド、後方の背当てパッドの三点支持により胸腰椎の伸展位を維持し、体幹を固定することで、脊柱に過度な屈曲や回旋ストレスがかからないようにして圧迫骨折の悪化を防ぐ作用がある。
【０００３】
体幹装具本体を形成する金属アームは、胸骨パッドを作用させる上部アームと恥骨パッドを作用させる下部アームとが脇腹近傍位置でネジ止めされており、金属表面全体はダブルラッセル地のようなクッション性に富んだ布地などで被覆されている。
また、装着者の胸骨部分並びに恥骨部分に位置する押圧作用部にはクッション材を用いたパッドが取り付けられている。
この体幹装具を装着者は体幹が直立するように、身体にしっかりと固定させる。
【０００４】
この三点支持は強固なものでなければならず、機械的に固定する手段が国際公開番号ＷＯ２０１４／５４０９７号に開示されるように付勢ばねを用いた手段で提案されている。
【０００５】
一般的に、安直な手段として、脇ベルトの締め付けによって固定力が調節できるように、面ファスナーを貼着した脇ベルトを、背当てパッドの上から体幹装具に設けたベルトリングを通して、脇ベルトを該リングを支軸にして折り返し、各パッドの押圧具合を調整しながら引き締める手段が用いられている。
【先行技術文献】
【特許文献】
【０００６】
【特許文献１】国際公開番号ＷＯ２０１４／５４０９７号公報
【考案の概要】
【考案が解決しようとする課題】
【０００７】
しかしながら、脇ベルトを体幹装具に設けたベルトリングを支軸にして折り返し、各パッドの押圧具合を調整しながら強固に固定する方法にあっては、脇ベルトを背中側から体前方向に引き出し、ベルトリングを支軸として反対方向に引張力を保持したまま面ファスナー同士を対面させて脇ベルトを固定しようとするものであった。
【０００８】
この場合、折り返された脇ベルトの面ファスナー同士が止着し合うまで力を保持し続けなければならないという問題があった。
つまり、装着者は上腕筋を使ってベルトリングを通した脇ベルトを体前方向に引き出し、そのままベルトリングの支軸を介して引張力を保ったまま上腕を巻回するように体後方向に向かわせ、面ファスナー同士が止着する位置まで脇ベルトを掴んだ手を力を緩ませずに後ろに回さなければならない。
このように体後方向に向かう力を付与すること自体弱いのが普通であり、高齢者や女性においては特に困難な作業となっていた。
【０００９】
そこで、上記課題を解決する手段として、体幹装具に取り付けるバックルにベルトの仮止め機能をもたせ、体幹装具の装着者が脇ベルトを体前方向に引き出す力のみで十分な緊縛具合を保持したまま簡単に脇ベルトの面ファスナーによる本固定を完了させることが可能となるバックルを提供する。
【課題を解決するための手段】
【００１０】
本考案は、上記に鑑み提案されたものであって、バックル主体は、対向する２つの側板の一端に体幹装具本体取付用ねじ穴が穿設された固定板を設け、他端に折返し軸を設け、該折返し軸には２本の係合突起が形成され、前記側板は中央部分から折返し軸方向の端部まで内方に湾曲していることを特徴としている。
【００１１】
また、前記２本の係合突起は前記ねじ穴方向に向かって傾斜していることを特徴としている。
【考案の効果】
【００１２】
本考案のバックルを用いることにより、体幹装具装着者が装具がしっかりと身体に圧接するまで脇ベルトを体前方向に引きだした状態で脇ベルトに設けられた係合孔に係合突起を嵌合させて脇ベルトを一時仮止めすることが可能となり、仮止めによってベルトに付加していた締め付け力を継続する必要がなくなる。
【００１３】
従って、係合突起によって仮止めされた状態で力を用いることなくベルト端部を折返し軸を介して体後方向に折り返して、ベルトに形成されている面ファスナー同士を貼着して本固定させることが可能となる。
【００１４】
その結果、本固定まで緊締力を継続することなく、脇ベルトの端部を掴んで前方に引き出す力のみで済むので、筋力の衰えた装着者でも強固な装着が簡単に行えるので実用的価値はとても高いものとなる。
【００１５】
また、バックル主体が装着者の体側方向に沿って内向しているので、脇ベルトの引き出し角度が自然と体前方向に対して内側に傾斜することになり、上腕筋の与力の方向性に富んだものとなっている。
【００１６】
特に、折返し軸に設けられた係合突起と脇ベルトとの係合角度が９０度ではなく、係合突起が体後方向に向かって傾斜しているので脇ベルトの孔と係合突起とが迎合しやすくなっている。
【図面の簡単な説明】
【００１７】
【図１】本考案の一実施形態を示す体幹装具全体を示す斜視図である。
【図２】本考案に係るバックルの正面図である。
【図３】同上バックルの平面図である。
【考案を実施するための形態】
【００１８】
以下、図１乃至図３によって考案を実施するための形態を説明する。
【００１９】
図１に示す体幹装具Ｗは主として腰椎背骨圧迫に用いるジュエット型体幹装具と称される装具であり、この体幹装具Ｗの基体は上部金属アームｓ１と下部金属アームｓ２とが装着者の体形に合わせてねじ止め固定されて一体になって形成されており、前方の胸骨パッドｐ１、恥骨パッドｐ２、後方の背当てパッドｐ３の三点支持によって体幹を固定する。
【００２０】
装着者の身体に三点支持パッドがしっかりと固定させる緊締手段として背当てパッドｐ３には脇ベルト２０が取り付けられている。
【００２１】
基体の上部金属アームｓ１と下部金属アームｓ２の結合部分近傍に本考案のバックル主体１が基体に直接ねじによって固定されている。
【００２２】
図２、図３に示すように、バックル主体１は、対向する２つの側板１１と固定板１２および係合突起１４が設けられた折返し軸１３とから構成され、樹脂で一体的に形成されている。
バックル主体１の対向する２つの側板１１の一端には体幹装具基体取付用ねじ穴１５が穿設された固定板１２が設けられ、バックル主体１は固定板１２のねじ穴１５を介して体幹装具本体Ｗに一体的に固定される。
【００２３】
バックル主体１の他端には折返し軸１３が設けられており、脇ベルトは固定板１２の上面から装着者と折返し軸１３の間を通過させて、折返し軸１３で反対方向に折返されることになる。
【００２４】
脇ベルト２０は背当てパッドｐ３に設けられた図示しないグログランテープによって形成されたループに通されて着脱自在に背当てパッドｐ３に保持されている。
脇ベルト２０の一端は、バックル主体１が取り付けられている側と反対側の上部金属アームｓ１と下部金属アームｓ２の結合部分近傍に図示しない手段によって固定されている。
【００２５】
脇ベルト２０には２本の係合突起１４に迎合する孔２１が２条に複数並行して穿設されおり、装着者によって最適位置まで引き出された脇ベルトの孔２１に係合突起１４を係合させることにより引張状態を保ったまま仮止めすることが可能となる。
【００２６】
折返し軸１３には、ねじ穴方向すなわち体後方向に向かって２０度傾斜した２本の係合突起１４が形成されており、引張したベルトの孔２１に係合突起１４が迎合し易くなっている。
【００２７】
また、バックル主体１の側板１１は中央部分から折返し軸方向の端部まで、すなわち装着者の身体方向に沿って内方に湾曲しているので、装着者が脇ベルト２０を引張する角度が自然と内向きになるので、上腕筋の与力の方向が体側面に沿う形になり、高齢者や女性でも大きな引張力を加えることが可能となっている。
上記バックル主体１の湾曲度は曲率半径１００ｍｍ乃至１１０ｍｍが最適である。
【００２８】
脇ベルト２０は皮革を用い、裏面のベルト貼着部分には面ファスナー２２が貼着形成されている。
このとき、面ファスナー２２はループ、フックの混在したものを利用すると良い。
【００２９】
折返し軸１３の２本の係合突起１４とベルトの孔２１とによって仮止めされた脇ベルト２０は力を与えることなくそのまま折り返されて前記面ファスナー２２によって貼着本固定されることになる。
【実施例１】
【００３０】
次に、本考案に係るバックルを用いた装具の装着者への固定手段について説明する。
【００３１】
一端が上部金属アームｓ１と下部金属アームｓ２の結合部分近傍に固定され、背当てパッドｐ３と一体になった脇ベルト２０の先端を、固定板１２の上面から装着者と折返し軸１３の間を通過させて装着者の前方に突出させ、装着者は脇ベルト２０の先端を掴んで身体の前方向に三点支持パッドｐ１，ｐ２，ｐ３がしっかりと固定するまで引張し、折返し軸１３の２本の係合突起１４に脇ベルトに穿設された孔２１を係合させる。
【００３２】
両者の係合により脇ベルト２０は張力を保ったまま仮止め状態となるので、その時点で装着者は脇ベルトから手を離すことも可能となる。
【００３３】
脇ベルト２０の先端を折返し軸１３を介して後方に移動させ、面ファスナー同士を対面させ、対向面を押圧して面ファスナー２２の接合によって本固定が完了する。
【００３４】
また、脇ベルト２０が折り返されることにより装着時は面ファスナー２２が施された裏面は隠れ、表に露出する面は皮革で構成されているので見栄えも良いものとなる。
【００３５】
また、本考案に係るバックルをジュエット型体幹装具について説明したが、一般的な装具に用いることができることは言うまでもない。
【符号の説明】
【００３６】
１    バックル主体
１１  側板
１２  固定板
１３  折返し軸
１４  係合突起
１５  ねじ穴
２０  脇ベルト
２１  孔
２２  面ファスナー
Ｗ    体幹装具本体
ｐ１  胸骨パッド
ｐ２  恥骨パッド
ｐ３  背当てパッド
ｓ１  上部金属アーム
ｓ２  下部金属アーム
【図１】
0003209314.tif 000003
【図２】
0003209314.tif 000004
【図３】
0003209314.tif 000005